(57)【特許請求の範囲】
【請求項１】
複数の照明用ＬＥＤが配列されて実装されるメインＬＥＤ基板と、
前記メインＬＥＤ基板の左右側に配置され、照明用ＬＥＤと非常用ＬＥＤが交番的に配置される一つ以上のサブＬＥＤ基板と、
前記メインＬＥＤ基板および前記一つ以上のサブＬＥＤ基板に結合するフレームと、
前記メインＬＥＤ基板の照明用ＬＥＤおよび前記一つ以上のサブＬＥＤ基板の照明用ＬＥＤに電源を供給する照明電源供給部と、
非常状態を感知して前記一つ以上のサブＬＥＤ基板の非常用ＬＥＤに電源を供給して点灯させる非常電源供給部とを含んでなることを特徴とする、非常灯機能を有するＬＥＤ蛍光灯装置。
【請求項２】
前記非常電源供給部は、
前記照明電源供給部に供給される電源を検出し、検出された電源値から非常状態の発生有無を感知し、前記照明電源供給部に電源が正常的に供給されない場合に前記一つ以上のサブＬＥＤ基板の非常用ＬＥＤへの電源供給を制御する制御器と、
非常状態の際に前記制御器の制御によって前記一つ以上のサブＬＥＤ基板の非常用ＬＥＤに電源を供給するために充電状態を維持する非常用バッテリーと、
前記照明電源供給部に連結され、前記照明電源供給部の電源を用いて前記非常用バッテリーを充電する充電器とを含むことを特徴とする、請求項１に記載の非常灯機能を有するＬＥＤ蛍光灯装置。
【請求項３】
前記非常電源供給部は、
自家発電機能を行う自家発電機と、
充電可能な小型バッテリーと、
前記自家発電機から電源の供給を受けて前記小型バッテリーを充電し、前記自家発電機から供給される電源を前記一つ以上のサブＬＥＤ基板の非常用ＬＥＤに入力される電源に変換して供給するアダプターと、
前記照明電源供給部に供給される電源を検出し、検出された電源値から非常状態の発生有無を感知し、前記照明電源供給部に電源が正常的に供給されない場合に前記小型バッテリーおよび前記アダプターを制御して前記一つ以上のサブＬＥＤ基板の非常用ＬＥＤへの電源供給を制御する制御器とを含むことを特徴とする、請求項１に記載の非常灯機能を有するＬＥＤ蛍光灯装置。
【請求項４】
前記制御器は、
前記非常状態の復旧が感知されると、前記一つ以上のサブＬＥＤ基板の非常用ＬＥＤへの電源供給を遮断して消灯させることを特徴とする、請求項２または３に記載の非常灯機能を有するＬＥＤ蛍光灯装置。
【請求項５】
前記照明電源供給部に電源を供給するメイン電源部と前記非常電源供給部との間に位置し、操作によって非常状態発生有無の感知のための検出電源を遮断する外部スイッチをさらに含んでなり、
前記外部スイッチの動作の際に前記非常電源供給部が動作し、前記非常電源供給部の正常作動有無の確認が可能であることを特徴とする、請求項１に記載の非常灯機能を有するＬＥＤ蛍光灯装置。
【請求項６】
前記フレームは、
長手方向の両側面が下部面の内側方向に所定の角度で傾く構造を有し、前記下部面は前記両側面の間に位置して下側方向に開放された溝状に形成され、前記両側面および前記下部面の外側には締結溝が長手方向にそれぞれ設けられることを特徴とする、請求項１に記載の非常灯機能を有するＬＥＤ蛍光灯装置。
【請求項７】
外側に締結部が備えられて前記フレームの締結溝に締結されることで、前記フレームに結合した各ＬＥＤ基板をカバーする複数のボディキャップをさらに含んでなることを特徴とする、請求項６に記載の非常灯機能を有するＬＥＤ蛍光灯装置。
【請求項８】
前記サブＬＥＤ基板は、
前記フレームの両側面上に結合し、前記サブＬＥＤ基板に配置された照明用ＬＥＤおよび非常用ＬＥＤが前記フレームの上側対角線方向に発光することを特徴とする、請求項１または６に記載の非常灯機能を有するＬＥＤ蛍光灯装置。
【請求項９】
前記サブＬＥＤ基板の照明用ＬＥＤまたは非常用ＬＥＤの光を反射させる反射板を備える反射笠をさらに含んでなることを特徴とする、請求項１、請求項６および請求項７のいずれか１項に記載の非常灯機能を有するＬＥＤ蛍光灯装置。
【発明の詳細な説明】
【技術分野】
【０００１】
本発明は、非常灯機能を有するＬＥＤ蛍光灯装置に係り、さらに詳しくは、メインＬＥＤ基板の左右側に配置されたサブＬＥＤ基板上に非常用ＬＥＤを交番的に配列し、照明用ＬＥＤの電源供給と非常用ＬＥＤの電源供給を互いに異ならしめることにより、非常の際には非常状態を感知して非常用ＬＥＤに電源を供給して点灯させる、非常灯機能を有するＬＥＤ蛍光灯装置に関する。
【背景技術】
【０００２】
現在、照明器具の寿命を増加させ且つ照明器具に使用される消費電力を減少させてエネルギー効率を大幅向上させたＬＥＤ蛍光灯が多く使われている。このようなＬＥＤ蛍光灯は、既存の蛍光灯または白熱灯に比べて消費電力が相対的に極めて少ないため、電気使用料を大幅節減することができ、寿命も半永久的に維持することができるため、産業技術の発達に伴って懸念される資源の枯渇を最大限抑制することができる。
【０００３】
このように広く使われているＬＥＤ蛍光灯の場合も、停電発生などの非常時には円滑な電源供給が行われず点灯しないため、照明器具としての役目を果たすことができないという欠点がある。
【０００４】
したがって、停電などの非常状態が発生した場合、それを自動的に感知して常に点灯状態を保って生活の便利性を図ることが可能なＬＥＤ蛍光灯装置が切実に要求されている実情である。
【先行技術文献】
【特許文献】
【０００５】
【特許文献１】韓国特許公開第２０１０−００１６６７６号明細書
【発明の概要】
【発明が解決しようとする課題】
【０００６】
本発明は、上述した従来の技術の問題点を解決するためのもので、その目的は、メインＬＥＤ配列の左右側に配置されたサブＬＥＤ配列上に非常用ＬＥＤを交番的に配列し、照明用ＬＥＤの電源供給と非常用ＬＥＤの電源供給を互いに異ならしめることにより、非常の際にはそれを感知し、非常用ＬＥＤに電源を供給して点灯させることで、非常時にも連続的に照明することが可能な、非常灯機能を有するＬＥＤ蛍光灯装置を提供することにある。
【課題を解決するための手段】
【０００７】
上記目的を達成するために、本発明は、複数の照明用ＬＥＤが配列されて実装されるメインＬＥＤ基板と、前記メインＬＥＤ基板の左右側に配置され、照明用ＬＥＤと非常用ＬＥＤが交番的に配置される一つ以上のサブＬＥＤ基板と、前記メインＬＥＤ基板および前記一つ以上のサブＬＥＤ基板に結合するフレームと、前記メインＬＥＤ基板の照明用ＬＥＤおよび前記一つ以上のサブＬＥＤ基板の照明用ＬＥＤに電源を供給する照明電源供給部と、非常状態を感知して前記一つ以上のサブＬＥＤ基板の非常用ＬＥＤに電源を供給して点灯させる非常電源供給部とを含んでなることを特徴とする、非常灯機能を有するＬＥＤ蛍光灯装置を提供する。
【発明の効果】
【０００８】
本発明は、メインＬＥＤ基板の左右側に配置されたサブＬＥＤ基板上に非常用ＬＥＤを照明用ＬＥＤと交番的に追加備え、照明用ＬＥＤに電源を供給する照明電源供給部とは別途に非常用ＬＥＤに電源を供給する非常電源供給部を別途備え、停電などの非常状態が発生したときにこれを自動的に感知し非常用ＬＥＤに電源を供給して点灯させることにより、非常の際にも点灯状態を継続的に維持して生活の便利性を大きく図るという効果がある。
【０００９】
また、本発明は、長手方向の両側面が下部面の内側方向に所定の角度で傾く構造を持つアルミニウム材質のフレームと、前記フレームの両側面上に積層配置され、前記フレームの上側対角線方向に発光する複数の照明用ＬＥＤが長手方向に配列されて実装される複数のサブＬＥＤ基板を備え、前記複数のサブＬＥＤ基板上に非常用ＬＥＤを照明用ＬＥＤと交番的に配列して非常の際にも連続的に照明することを可能とすると同時に、ＬＥＤ蛍光灯が設置される照明器具の反射笠を用いて複数のサブＬＥＤ基板上の非常用ＬＥＤの光が反射笠に反射および拡散して少ない個数の非常用ＬＥＤでも良好な照度で照明することを可能とするという効果がある。
【図面の簡単な説明】
【００１０】
【図１】本発明の一実施例に係る非常灯機能を有するＬＥＤ蛍光灯装置の構成の例示を示す斜視図である。
【図２】本発明の一実施例に係る非常灯機能を有するＬＥＤ蛍光灯装置の構成を示す分解図である。
【図３】本発明の一実施例に係る非常灯機能を有するＬＥＤ蛍光灯装置が反射笠に取り付けられた状態の背面透視図である。
【図４】本発明の一実施例に係る非常灯機能を有するＬＥＤ蛍光灯装置の回路構造図である。
【図５】本発明の一実施例に係る非常灯機能を有するＬＥＤ蛍光灯装置の非常電源供給部の例示図である。
【図６】本発明の一実施例に係る非常灯機能を有するＬＥＤ蛍光灯装置の非常電源供給部の他の例示図である。
【発明を実施するための形態】
【００１１】
以下に添付図面を参照しながら、本発明の好適な実施例について説明する。
【００１２】
図１は本発明の一実施例に係る非常灯機能を有するＬＥＤ蛍光灯装置の構成の例示を示す斜視図、図２は本発明の一実施例に係る非常灯機能を有するＬＥＤ蛍光灯装置の構成を示す分解図、図３は本発明の一実施例に係る非常灯機能を有するＬＥＤ蛍光灯装置が反射笠に取り付けられた状態の背面透視図、図４は本発明の一実施例に係る非常灯機能を有するＬＥＤ蛍光灯装置の回路構造図である。
【００１３】
本発明の一実施例に係る非常灯機能を有するＬＥＤ蛍光灯装置は、複数の照明用ＬＥＤ３０１−１が配列されて実装されるメインＬＥＤ基板３０１と、前記メインＬＥＤ基板３０１の左右側に配置され、照明用ＬＥＤ３０２−１、３０３−１と非常用ＬＥＤ３２０−１、３３０−１が交番的に配列される一つ以上のサブＬＥＤ基板３０２、３０３と、前記メインＬＥＤ基板３０１および前記一つ以上のサブＬＥＤ基板３０２、３０３に結合するフレーム２００と、前記メインＬＥＤ基板３０１の照明用ＬＥＤ３０１−１および前記一つ以上のサブＬＥＤ基板３０２、３０３の照明用ＬＥＤ３０２−１、３０３−１に電源を供給する照明電源供給部６１０と、非常状態を感知して前記一つ以上のサブＬＥＤ基板３０２、３０３の非常用ＬＥＤ３２０−１、３３０−１に電源を供給して点灯させる非常電源供給部６３０とを含んでなる。
【００１４】
前記非常灯機能を有するＬＥＤ蛍光灯装置は、図４に示すように、前記照明電源供給部６１０に電源を供給するメイン電源部と前記非常電源供給部６３０との間に位置し、操作によって非常状態発生有無の感知のための検出電源を遮断する外部スイッチ６２０をさらに含んでなる。
【００１５】
前記外部スイッチ６２０をターンオンさせる場合、すなわち、非常状態発生有無の感知のための検出電源を人為的に遮断する場合に、前記非常電源供給部６３０が停電を感知して非常用ＬＥＤに電源を供給して非常用ＬＥＤが点灯するか否かを確認することにより、前記非常電源供給部６３０の正常作動か否かを随時確認することができる。
【００１６】
前記非常電源供給部６３０は、図５に示すように、充電可能な非常用バッテリーの電源を非常用ＬＥＤに供給して非常用ＬＥＤを点灯させることもでき、図６に示すように、自家発電機の電源を非常用ＬＥＤに供給して非常用ＬＥＤを点灯させることもできる。
【００１７】
前記非常電源供給部６３０の詳細構成は、図５に示すように、前記照明電源供給部６１０に供給される電源を検出し、検出された電源値から非常状態の発生有無を感知し、前記照明電源供給部６１０に電源が正常的に供給されない場合に前記一つ以上のサブＬＥＤ基板３０２、３０３の非常用ＬＥＤ３２０−１、３３０−１への電源供給を制御する制御器６３１と、非常状態の際に前記制御器の制御によって前記一つ以上のサブＬＥＤ基板３０２、３０３の非常用ＬＥＤ３２０−１、３３０−１に電源を供給するために充電状態を維持する非常用バッテリー６３３と、前記照明電源供給部６１０に連結され、前記照明電源供給部６１０の電源を用いて前記非常用バッテリー６３３を充電する充電器６３２とを含んでなる。
【００１８】
前記制御器６３１は、前記非常状態の復旧が感知されると、前記一つ以上のサブＬＥＤ基板３０２、３０３の非常用ＬＥＤ３２０−１、３３０−１への電源供給を遮断して消灯させる。
【００１９】
また、前記非常電源供給部６３０は、図６に示すように、自家発電機能を行う自家発電機６４１と、充電可能な小型バッテリー６４３と、前記自家発電機６４１から電源の供給を受けて前記小型バッテリー６４３を充電し、前記自家発電機６４１から供給される電源を前記一つ以上のサブＬＥＤ基板３０２、３０３の非常用ＬＥＤ３２０−１、３３０−１に適した電源に変換して供給するアダプター６４２と、前記照明電源供給部６１０に供給される電源を検出し、検出された電源値から非常状態の発生有無を感知し、前記照明電源供給部６１０に電源が正常的に供給されない場合に前記小型バッテリー６４３および前記アダプター６４２を制御して前記一つ以上のサブＬＥＤ基板３０２、３０３の非常用ＬＥＤ３２０−１、３３０−１への電源供給を制御する制御器６４４とを含んでなってもよい。
【００２０】
前記制御器６４４は、前記非常状態の復旧が感知されると、前記一つ以上のサブＬＥＤ基板３０２、３０３の非常用ＬＥＤ３２０−１、３３０−１への電源供給を遮断して消灯させる。
【００２１】
前記照明電源供給部６１０は、メイン電源部に連結されて交流電源を出力するＡＣ電源部６１１と、前記ＡＣ電源部６１１から出力される交流電源を直流電源に変換し、前記各ＬＥＤ基板３０１、３０２、３０３の照明用ＬＥＤ３０１−１、３０２−１、３０３−１の配列に供給する照明用安定器６１２とを含む。
【００２２】
また、前記非常灯機能を有するＬＥＤ蛍光灯装置のフレーム２００は、長手方向の両側面が下部面の内側方向に所定の角度で傾く構造、例えば、フレーム２００の下部面を基準に６０°の角度で傾く構造が採用でき、前記下部面は前記両側面の間に位置して下側方向に開放された溝状に形成され、前記両側面および前記下部面の外側には締結溝２０１、２０２、２０３が長手方向にそれぞれ設けられる。
【００２３】
前記非常灯機能を有するＬＥＤ蛍光灯装置は、長手方向の外側両端に突設される締結部１０１−１、１０２−１、１０３−１が備えられて前記フレーム２００の締結溝２０１、２０２、２０３（すなわち、前記フレーム２００の下部面の外側に設けられた締結溝２０１、前記フレーム２００の左側面の外側に設けられた締結溝２０２、および前記フレーム２００の右側面の外側に設けられた締結溝２０３）にそれぞれ対応して締結されることで（例えば、着脱可能なスライディング方式で締結され）、前記フレーム２００に結合した各ＬＥＤ基板３０１、３０２、３０３をそれぞれカバーする複数のボディキャップ１０１、１０２、１０３をさらに含んでなる。すなわち、前記フレーム２００の下部面の締結溝２０１に締結される第１ボディキャップ１０１は、前記フレーム２００の下部面に実装されたメインＬＥＤ基板３０１をカバーし、前記フレーム２００の傾いた左側面の締結溝２０２に締結される第２ボディキャップ１０２は、前記フレーム２００の傾いた左側面に実装された第１サブＬＥＤ基板３０２をカバーし、前記フレーム２００の傾いた右側面の締結溝２０３に締結される第３ボディキャップ１０３は、前記フレーム２００の傾いた右側面に実装された第２サブＬＥＤ基板３０３をカバーする。
【００２４】
また、前記第１〜第３ボディキャップ１０１、１０２、１０３は、前記フレーム２００に結合して円筒型構造をなすために半円形、１／３円形、１／４円形などに形成できる。本発明の実施例では、前記第１ボディキャップ１０１は前記メインＬＥＤ基板３０１をカバーするために半円形に形成され、前記第２および第３ボディキャップ１０２、１０３は前記第１および第２サブＬＥＤ基板３０２、３０３をカバーするために１／４円形に形成される。
【００２５】
前記メインＬＥＤ基板３０１は、前記フレーム２００の下側面に結合し、前記メインＬＥＤ基板３０１に配置された複数の照明用ＬＥＤ３０１−１は前記フレーム２００の下側方向に発光する。
【００２６】
また、前記第１および第２サブＬＥＤ基板３０２、３０３は、前記フレーム２００の両側面上に結合し、前記サブＬＥＤ基板３０２、３０３に配置された照明用ＬＥＤ３０２−１、３０３−１および非常用ＬＥＤ３２０−１、３３０−１が発光するときは前記フレーム２００の上側対角線方向に発光する。
【００２７】
前記非常灯機能を有するＬＥＤ蛍光灯装置は、図３に示すように、前記サブＬＥＤ基板３０２、３０３の照明用ＬＥＤ３０２−１、３０３−１または非常用ＬＥＤ３２０−１、３３０−１の光を反射させる反射板５０１を備える反射笠５００をさらに含んでなる。前記反射笠５００は、前記フレーム２００と一定の間隔で離隔して対面する構造を有し、前記照明用ＬＥＤおよび非常用ＬＥＤの光を反射させる反射板５０１を含んでなる。また、前記非常灯機能を有するＬＥＤ蛍光灯装置は、前記照明電源供給部６１０および前記非常電源供給部６３０を前記反射笠５００の所定の位置６００に備えることができる。
【００２８】
前記第１〜第３ボディキャップ１０１、１０２、１０３は、眩しさを減らし且つ光の屈折率を増加させるために、それぞれポリカーボネート（ＰＣ）材質のプラスチックで出来ている。
【００２９】
前記メインＬＥＤ基板３０１をカバーする第１ボディキャップ１０１は、眩しさを減らすために不透明キャップからなり、前記第１および第２サブＬＥＤ基板３０２、３０３をカバーする第２および第３ボディキャップ１０２、１０３は、反射笠５００に反射される光の発光量を高めるために透過量の高い透明キャップからなる。
【００３０】
ここで、前記フレーム２００について詳細に説明すると、フレーム２００の下部面は前記メインＬＥＤ基板３０１が前記第１ボディキャップ１０１と一定の間隔を保つようにするために開放された溝状に形成され、前記フレーム２００の両側面は前記下部面の内側方向に傾いて形成されるため、幅方向の断面が「Ｈ」字または「Ａ」字の形状を含む。ここで、前記フレーム２００の開放された溝状に形成されることは、点光源の特性が強いＬＥＤから発光する光が最大限均一に発光するようにするために必要な特定の距離を確保するためである。
【００３１】
しかも、前記フレーム２００は、図１および図２に示すように、上側が空気中に一部分露出し、波形に形成されて自然な熱発散ができるように最大限の面積を確保するため、ＬＥＤから誘導される熱が効率よく発散して高熱の発生を防ぐ。
前記非常灯機能を有するＬＥＤ蛍光灯装置は、前記フレーム２００の長手方向の両端に締結されるエンドキャップ４００をさらに含んでなる。前記エンドキャップ４００は、前記フレームの両端に締結され、前記フレーム２００と第１〜第３ボディキャップ１０１、１０２、１０３とを互いに固定させる。また、前記エンドキャップ４００には、前記照明電源供給部６１０から前記各ＬＥＤ基板３０１、３０２、３０３の照明用ＬＥＤに電源を供給するための電極端子４０１、および前記非常電源供給部６３０から各サブＬＥＤ基板３０２、３０３の非常用ＬＥＤに電源を供給するためのラインが貫通する貫通孔（図示せず）が設けられる。
【００３２】
本発明の一実施例において、前記各ＬＥＤ基板３０１、３０２、３０３を前記フレーム２００の表面上に積層結合するために、図面には示されていないが、前記各ＬＥＤ基板３０１、３０２、３０３と前記フレーム２００との間に、発熱を防止する発熱防止用両面絶縁テープが設けられてもよい。
【００３３】
上述したように構成された本発明の一実施例に係る非常灯機能を有するＬＥＤ蛍光灯装置の動作について説明する。
【００３４】
まず、非常灯機能を有するＬＥＤ蛍光灯装置の照明電源供給部６１０は、各ＬＥＤ基板３０１、３０２、３０３の照明用ＬＥＤ３０１−１、３０２−１、３０３−１に電源を供給して照明用ＬＥＤ３０１−１、３０２−１、３０３−１が点灯状態になる。
【００３５】
非常灯機能を有するＬＥＤ蛍光灯装置の非常電源供給部６３０は、図５に示すように、充電可能な非常用バッテリーの電源を非常用ＬＥＤに供給して非常用ＬＥＤを点灯させることもでき、図６に示すように、自家発電機の電源を非常用ＬＥＤに供給して非常用ＬＥＤを点灯させることもできる。
【００３６】
まず、図５を参照して、非常用バッテリー６３３を用いて非常用ＬＥＤ３２０−１、３３０−１を点灯させる動作について説明する。
【００３７】
非常電源供給部６３０の充電器６３２は、照明電源供給部６１０に正常的に電源が供給されて各ＬＥＤ基板３０１、３０２、３０３の照明用ＬＥＤ３０１−１、３０２−１、３０３−１に正常的な電源を印加するとき、非常時に備え、照明電源供給部６１０のＡＣ電源部６１１の交流電源を用いて非常用バッテリー６３３を充電する。
【００３８】
非常電源供給部６３０の制御器６３１は、照明電源供給部６１０に供給される電源を検出し、検出された電源値から非常状態の発生有無を感知する。検出された電源値から停電などの非常状態の発生が感知された場合に、非常電源供給部６３０の制御器６３１は、前記非常用バッテリー６３３の電源を前記サブＬＥＤ基板３０２、３０３の非常用ＬＥＤ３２０−１、３３０−１に供給して非常用ＬＥＤ３２０−１、３３０−１を点灯させる。よって、停電などの非常状態が発生して照明用ＬＥＤ３０１−１、３０２−１、３０３−１が急に消灯する場合にも、非常用ＬＥＤ３２０−１、３３０−１が自動的に点灯して継続的な照明がなされるため、生活の便利性がさらに向上するのである。また、サブＬＥＤ基板３０２、３０３がフレームの傾いた両側面にそれぞれ取り付けられ、サブＬＥＤ基板３０２、３０３に配置された非常用ＬＥＤ３２０−１、３３０−１がフレームの上側対角線方向に発光することにより反射笠５００に反射されて拡散するので、少ない個数の非常用ＬＥＤでも良好な照度で照明可能であり、費用が節減されるという効果がある。
【００３９】
一方、非常電源供給部６３０の制御器６３１は、照明電源供給部６１０に印加される電源を継続的に検出し、検出値から非常状態の復旧が感知されると、前記サブＬＥＤ基板３０２、３０３の非常用ＬＥＤ３２０−１、３３０−１への電源供給を遮断して非常用ＬＥＤ３２０−１、３３０−１を消灯させ、充電器６３２を介して非常用バッテリー６３３を再充電する。
【００４０】
次に、図６を参照して、自家発電機６４１を用いて非常用ＬＥＤ３２０−１、３３０−１を点灯させる動作について説明する。
本発明の実施例に係る非常灯機能を有するＬＥＤ蛍光灯装置の非常電源供給部６３０のアダプター６４２は、照明電源供給部６１０に正常的に電源が供給されて各ＬＥＤ基板３０１、３０２、３０３の照明用ＬＥＤ３０１−１、３０２−１、３０３−１に正常的な電源を印加するとき、停電などの非常時に備え、照明電源供給部６１０のＡＣ電源部６１１の交流電源を用いて小型バッテリー６４３を充電する。また、アダプター６４２は、自家発電機６４１が駆動されて自家発電電源が供給されると、自家発電電源を制御器６４４へ供給して自家発電電源が照明用ＬＥＤ３０１−１、３０２−１、３０３−１に印加されるようにする。
【００４１】
前記非常電源供給部６３０の制御器６４４は、小型バッテリー６４３の電源の印加を受け、非常状態か否かを問わず継続的な動作状態を維持することができる。
前記非常電源供給部６３０の制御器６４４は、照明電源供給部６１０に供給される電源を検出し、検出された電源値から非常状態の発生有無を感知する。検出された電源値から停電などの非常状態の発生が感知された場合、非常電源供給部６３０の制御器６４４は、自家発電機６４１からアダプター６４２を介して供給される電源を前記複数のサブＬＥＤ基板３０２、３０３の非常用ＬＥＤ３２０−１、３３０−１に供給して非常用ＬＥＤ３２０−１、３３０−１を点灯させる。
【００４２】
しかも、非常状態発生の感知後から自家発電機６４１が駆動される以前までの所定の時間に、非常電源供給部６３０の制御器６４４は、小型バッテリー６４３の電源を前記サブＬＥＤ基板３０２、３０３の非常用ＬＥＤ３２０−１、３３０−１に供給して非常用ＬＥＤ３２０−１、３３０−１を点灯させる。その後、自家発電機６４１が駆動されて自家発電電源がアダプター６４２を介して供給されると、制御器６４４は、小型バッテリー６４３の電源を遮断し、自家発電電源を前記複数のサブＬＥＤ基板３０２、３０３の非常用ＬＥＤ３２０−１、３３０−１に供給して非常用ＬＥＤ３２０−１、３３０−１を点灯させる。
【００４３】
したがって、停電などの非常状態が発生して照明用ＬＥＤ３０１−１、３０２−１、３０３−１が急に消灯する場合にも、自家発電電源の供給を受けて非常用ＬＥＤ３２０−１、３３０−１が自動的に点灯するという効果がある。また、非常状態の発生後から自家発電機６４１が駆動される以前までの数秒間（自家発電機６４１によって異なる）、すなわち、非常状態の発生後から自家発電電源の供給が行われるまでの数秒間、別途の小型バッテリー６４３の電源を供給した後、自家発電電源を供給して非常用ＬＥＤ３２０−１、３３０−１を点灯させることにより、継続的な照明がなされるため、生活の便利性がさらに向上するのである。
【００４４】
また、サブＬＥＤ基板３０２、３０３がフレームの傾いた両側面にそれぞれ取り付けられてサブＬＥＤ基板３０２、３０３に配置された非常用ＬＥＤ３２０−１、３３０−１がフレームの上側対角線方向に発光することにより反射笠５００に反射されて拡散するので、少ない個数の非常用ＬＥＤでも良好な照度で照明可能であり、製造コストが節減されるという効果がある。
【００４５】
一方、非常電源供給部６３０の制御器６４４は、照明電源供給部６１０に印加される電源を継続的に検出しており、検出値から非常状態の復旧が感知されると、前記サブＬＥＤ基板３０２、３０３の非常用ＬＥＤ３２０−１、３３０−１への電源供給を遮断して非常用ＬＥＤ３２０−１、３３０−１を消灯させ、アダプター６４２を介して非常用バッテリー６３３を再充電する。
【００４６】
このように、本発明の一実施例に係るＬＥＤ蛍光灯装置は、従来のＬＥＤ蛍光灯に実装される同一個数のＬＥＤを用いてメインＬＥＤ基板および一つ以上のサブＬＥＤ基板に分けてフレームの多様な方向に配置し、多様な発光方向に照明されるようにするうえ、ＬＥＤ蛍光灯装置に設置される反射笠がＬＥＤ光を反射および拡散させて照度を改善するため、眩しさおよび高熱の発生を防止する効果があり、このような防熱効果はＬＥＤ素子の使用寿命が減少することを防止する効果もある。また、照明用ＬＥＤが配置されるサブＬＥＤ基板に非常用ＬＥＤをさらに備えるが、非常用ＬＥＤを照明用ＬＥＤと交番的に配列し、照明用ＬＥＤの電源供給部とは別途に非常用ＬＥＤ電源供給部を備え、非常の際に非常状態の発生を感知して非常用ＬＥＤに電源を供給して非常用ＬＥＤを点灯させることにより、非常の際にも継続的な照明を可能とする。その上、非常用ＬＥＤがさらに備えられるにも拘らず、一般なＬＥＤ蛍光灯に要求される消費電力を満足する効果もある。
【００４７】
また、本発明の一実施例に係るＬＥＤ蛍光灯装置は、停電などの非常状態を人為的に発生させるための外部スイッチを備え、外部スイッチを使用者が随時操作し、非常電源供給部が停電などの非常状態を感知して非常用ＬＥＤに電源を供給して非常用ＬＥＤが点灯することを確認することができるので、外部スイッチの操作により前記非常電源供給部の正常作動か否かを随時確認することができる。
【００４８】
本発明の属する技術分野における通常の知識を有する者であれば、本発明は本発明の技術的思想または分野から逸脱しない範囲内において様々な変形を加え得ることを理解することができるであろう。開示された実施例は、本発明を限定するものではなく、本発明を説明するためのものである。したがって、当該技術分野における通常の知識を有する者であれば、それらから多様な変形および均等な他の実施が可能であることを理解するであろう。よって、本発明の真正な技術的保護範囲は添付された特許請求の範囲の技術的思想によって定められるべきである。
【符号の説明】
【００４９】
２００    フレーム
３０１、３０２、３０３    ＬＥＤ基板
３０１−１、３０２−１、３０３−１    照明用ＬＥＤ
３２０−１、３３０−１    非常用ＬＥＤ
６１０    照明電源供給部
６１１    ＡＣ電源部
６１２    照明用安定器
６２０    外部スイッチ
６３０    非常電源供給部
６３１、６４４    制御器
６３２    充電器
６３３    非常用バッテリー
６４１    自家発電機
６４２    アダプター
６４３    小型バッテリー
【図４】
0005326010.tif 000002
【図５】
0005326010.tif 000003
【図６】
0005326010.tif 000004
【図１】
0005326010.tif 000005
【図２】
0005326010.tif 000006
【図３】
0005326010.tif 000007